(57)【要約】【課題】  廃木材や廃間伐材や廃木質系バイオマス資源等を燃焼させて、炉又は装置内の温度を９８０℃以上にして、その９８０℃以上の高温の熱を利用することにより、還元ガスや燃料ガス等の利用価値のあるガスに変換させ、水素燃料や可燃性ガス等の燃料ガス等のエネルギー回収を提供する。【解決手段】  本発明は、廃木材や廃間伐材や廃木質系バイオマス資源等をガス発生装置内で燃焼させ、９８０℃以上の高温の熱を利用して、燃焼によって生じた二酸化炭素ガスＣＯ２を廃木材や廃間伐材や廃木質系バイオマス資源等中の炭素Ｃを用いて一酸化炭素ガスＣＯに還元させる。  また、廃木材や廃間伐材や廃木質系バイオマス資源等中の水分を蒸気化させ、廃木材や廃間伐材や廃木質系バイオマス資源等中の炭素Ｃを用いて、高温の熱を利用して水素ガスＨ２と一酸化炭素ガスＣＯに還元させる。  還元させたエネルギーガスを化石由来の資源の代替とする。【選択図】        図１
2005325322.tif 000002
【特許請求の範囲】
【請求項１】
廃木材や廃間伐材や廃木質系バイオマス資源等を燃焼させて、炉又は装置内の温度を９８０℃以上にして、その９８０℃以上の高温の熱を利用することにより、還元ガスや燃料ガス等の利用価値のあるガスに変換させるためのエネルギー回収法。
【請求項２】
廃木材や廃間伐材や廃木質系バイオマス資源等を、高温の熱を利用して、燃焼によって生じた二酸化炭素ガスＣＯ２を廃木材や廃間伐材や廃木質系バイオマス資源等中の炭素Ｃを用いて一酸化炭素ガスＣＯに還元させるエネルギー回収法。
【請求項３】
廃木材や廃間伐材や廃木質系バイオマス資源等中の水分を蒸気化させ、廃木材や廃間伐材や廃木質系バイオマス資源等中の炭素Ｃを用いて、高温の熱を利用して水素ガスＨ２と一酸化炭素ガスＣＯに還元させるエネルギー回収法。
【請求項４】
廃木材や廃間伐材や廃木質系バイオマス資源等中の炭素Ｃを燃焼させる際、空気中の酸素Ｏ２又は純酸素Ｏ２又は空気と純酸素の混合した酸素Ｏ２によって燃焼させる請求項１並びに２並びに３記載のエネルギー回収法。
【請求項５】
廃木材や廃間伐材や廃木質系バイオマス資源等中の炭素Ｃを燃焼させる際、空気中の酸素Ｏ２又は純酸素Ｏ２又は空気と純酸素の混合した酸素Ｏ２制御して生成するガスの濃度をコントロールさせる請求項１並びに２並びに３並びに４記載のエネルギー回収法。
【請求項６】
廃木材や廃間伐材や廃木質系バイオマス資源等を燃焼させて、炉又は装置内の温度を９８０℃以上にさせて、燃焼によって生じた二酸化炭素ガスＣＯ２を廃木材や廃間伐材や廃木質系バイオマス資源等中の炭素Ｃを用いて一酸化炭素ガスＣＯに還元させるガス発生装置を具えることを特徴とするエネルギー回収法。
【請求項７】
廃木材や廃間伐材や廃木質系バイオマス資源等中の水分を蒸気化させ、廃木材や廃間伐材や廃木質系バイオマス資源等中の炭素Ｃを用いて、高温の熱を利用して水素ガスＨ２に還元させるガス発生装置を具えることを特徴とするエネルギー回収法。
【発明の詳細な説明】
【技術分野】
【０００１】  本発明は、廃木材や廃間伐材や廃木質系バイオマス資源等を、高温の熱を利用して、エネルギーを回収する方法に関する。
【背景技術】
【０００２】  廃木材や廃間伐材や廃木質系のバイオマス資源等は、酸化雰囲気の炉や装置において、空気で燃焼させることにあった。【０００３】  炉や装置の内部の温度は、重油やＬＰＧ等の補助バーナーを使用して昇温させている。しかし、そのバーナー付近の温度を１０００℃以上の高温とすることができても、バーナーから離れたところや、複数のバーナーを設置している場合のバーナーとバーナーの間では、２００〜７５０℃の低温となっていた。【０００４】  廃木材や廃間伐材や廃木質系のバイオマス資源等の炭素は、二酸化炭素ガスＣＯ２となる。この時の発熱によって、ボイラー等を用いて水を蒸気化させて蒸気タービンによって発電の動力にエネルギー変換させていた。【０００５】
【化１】
2005325322.tif 000003
【０００６】  また、廃木材や廃間伐材や廃木質系のバイオマス資源等中の水分Ｈ２Ｏは、酸化雰囲気において、そのまま蒸気にして水蒸気Ｈ２Ｏの気体として放出していた。【０００７】  また、木質系のバイオマスを原料とする場合、ガスと混ざり合ってタール蒸気のような揮発成分も含んでいるため、エンジンの燃料として生成ガスを利用する場合、このタール分が濃縮してエンジンの配管や機器類を詰まらせてしまっていた。【０００８】
【特許文献１】  特許公開２００４−７６９６８号広報
【発明の開示】
【発明が解決しようとする課題】
【０００９】  解決しようとする問題点は、従来では、燃焼させたガスの熱を利用するしかなく、熱を利用するエネルギー変換効率は５〜２０％と悪く、また水素燃料等の取出しは不可能であった。そこで、燃焼したガスを熱以外のエネルギーに変換して、水素燃料や可燃性ガス等の燃料ガス等のエネルギー回収を提供することが課題となる。
また、エンジンに悪影響を及ぼすタール分の除去が必要となる。
【課題を解決するための手段】
【００１０】  本発明は、廃木材や廃間伐材や廃木質系バイオマス資源等をガス発生装置１内で燃焼させ、９８０℃以上の高温の熱を利用して、燃焼によって生じた二酸化炭素ガスＣＯ２を廃木材や廃間伐材や廃木質系バイオマス資源等中の炭素Ｃを用いて一酸化炭素ガスＣＯに還元させ、エネルギーガスとして回収させる。
その反応式を次に示す。【００１１】
【化２】
2005325322.tif 000004
【００１２】  また、廃木材や廃間伐材や廃木質系バイオマス資源等中の水分Ｈ２Ｏを蒸気化させ、廃木材や廃間伐材や廃木質系バイオマス資源等中の炭素Ｃを用いて、高温の熱を利用して水素ガスＨ２と一酸化炭素ガスＣＯに還元させ、エネルギーガスとして回収させる。
その反応式は以下の通りとなる。【００１３】
【化２】
2005325322.tif 000005
【００１４】  廃木材や廃間伐材や廃木質系バイオマス資源等から発生するタール分は、ガス発生装置内の９８０℃以上の高温で熱分解させて、水素ガスＨ２や一酸化炭素ガスＣＯに分解させる。
【発明の効果】
【００１５】  本発明のエネルギー回収法によれば、廃木材や廃間伐材や廃木質系バイオマス資源等から、還元ガスや燃料ガス等の利用価値のあるガスに変換させるためのエネルギーを回収することが可能となった。
また、固体での雰囲気なため装置内の温度は均一になるため、安定してエネルギーを変換させることができる。【００１６】  このエネルギーを発電機や自動車等の燃料に使用することが可能であり、化石資源由来の燃料の代替に使用することによって、化石資源の枯渇問題の回避に寄与できる。
また、そのエネルギーを利用して発電する場合、その変換効率は、２０〜４２％と従来より高い変換効率を得ることが可能となる。【００１７】  さらに、化石資源由来の燃料を使用せずに、木質系のバイオマスを原料としているため、燃焼の過程において排出される二酸化炭素ガスＣＯ２は、生物の成長過程で光合成により大気中から吸収した二酸化炭素ガスＣＯ２であるため、結果的に大気中の二酸化炭素ガスＣＯ２を増加させない性質がある。そのため、地球温暖化を引き起こす温室効果ガスのひとつである二酸化炭素の削減に大きく貢献できる。
【発明を実施するための最良の形態】
【００１８】  ガス発生装置１の内部温度を常に９８０℃以上保つようにコントロールすることにより、水素ガスＨ２や一酸化炭素ガスＣＯへの還元反応を安定させ、かつ水素ガスＨ２や一酸化炭素ガスＣＯの濃度も調整する。
本発明に従うエネルギー回収のシステムについて、図面を参照しながら説明する。
【実施例１】
【００１９】  図１は、ガス発生装置１に原料（廃木材や廃間伐材や廃木質系バイオマス資源等）３を投入し、空気又は酸素の吹込口５から空気中の酸素Ｏ２又は酸素Ｏ２又は空気と酸素の混合空気を吹込み装置の下から加熱する。原料（廃木材や廃間伐材や廃木質系バイオマス資源等）３中の炭素Ｃと酸素Ｏ２が反応して二酸化炭素ガスＣＯ２となり、その二酸化炭素ガスＣＯ２はガス発生装置１の内部の９８０℃以上の雰囲気で、原料（廃木材や廃間伐材や廃木質系バイオマス資源等）３中の炭素Ｃと反応して一酸化炭素ガスＣＯに還元される。
一方、原料（廃木材や廃間伐材や廃木質系バイオマス資源等）３中に含まれる水分Ｈ２Ｏは、装置内の熱により蒸気化して水蒸気Ｈ２Ｏになり、これも９８０℃以上の雰囲気で水蒸気Ｈ２Ｏが水素ガスＨ２と一酸化炭素ガスＣＯに還元される。
また、発生するタールは、ガス発生装置１内の９８０℃以上の高温帯を通過することによって、水素ガスＨ２や一酸化炭素ガスＣＯに分解させる。【００２０】  空気中の酸素Ｏ２又は酸素Ｏ２又は空気と酸素の混合空気の吹込む割合を調整することにより水素ガスＨ２並びに一酸化炭素ガスＣＯの濃度を変えることができる。全量空気の場合は生成する水素ガスＨ２濃度が６．３％、一酸化炭素ガスＣＯ濃度が１５．０％となり、全量酸素の場合は、生成する水素ガスＨ２濃度が１７．２％、一酸化炭素ガスＣＯ濃度が２９．１％となった。空気と酸素の混合の場合は、全量空気と全量酸素の間の数値となる。
吹込む酸素Ｏ２と窒素Ｎ２の割合の違いによって、生成される水素ガスＨ２と一酸化炭素ガスＣＯの濃度を以下に示す。
2005325322.tif 000006
【００２１】  ガス発生装置１には、温度計を数箇所つけてあり、装置内の温度を監視して常に９８０℃以上に保つようにコントロールさせる。【００２２】  温度の降下を防ぐために、装置内に送る空気や酸素を５０〜１３００℃に昇温させることも効果的である。
【実施例２】
【００２３】  図２のように、ガス発生装置１の内部の温度が多少変化しても、常に発生するエネルギーガスは９８０℃以上のところから取り出せるように、ガスの取出口４を多段に設けることによって生成ガスの品質を一定にして供給が可能となる。
【実施例３】
【００２４】  図３は、ガス発生装置１から生成したエネルギーガス２をガスエンジン又はディーゼルエンジン６の燃料として利用でき、発電機７により発電させる。【００２５】  図４のように、ガス発生装置１から生成したエネルギーガス２を自動車８や貨物車、船舶等のエンジンの燃料に使用して、貨物や資材を運搬することも可能である。重油や軽油やガソリン等の化石燃料の供給が不可能なところで、木質系のバイオマスを使用することによって、燃料の代替に利用できることは、非常に効果的である。【００２５】  さらに、生成させた水素ガスＨ２は、燃料電池にも利用ができる。
【図面の簡単な説明】
【００２６】
【図１】エネルギーガスを生成させるガス発生装置の概略図である。
【図２】エネルギーガスの実施方法例を示した概略フロー図である。
【符号の説明】
【００２７】１  ガス発生装置
２  エネルギーガス、還元ガス（ＣＯ、Ｈ２）
３  原料（廃木材や廃間伐材や廃木質系バイオマス資源等）
４  ガス取出口
５  空気又は酸素の吹込口
６  ガスエンジン、ディーゼルエンジン
７  発電機
８  自動車、車、貨物車、船舶等
【図１】
2005325322.tif 000007
【図２】
2005325322.tif 000008
【図３】
2005325322.tif 000009
【図４】
2005325322.tif 000010
【手続補正書】
【提出日】平成16年8月4日(2004.8.4)
【手続補正２】
【補正対象書類名】明細書
【補正対象項目名】００２６
【補正方法】変更
【補正の内容】
【００２６】
【図１】エネルギーガスを生成させるガス発生装置の概略図である。
【図２】エネルギーガスの実施方法例を示した概略フロー図である。
【図３】エネルギーガスを生成させるガス発生装置を利用してガスエンジン発電を行う概略図である。
【図４】エネルギーガスを生成させるガス発生装置を利用して自動車等に利用する概略図である。